【事件の表示】
　特願２０００−６０４６５２「使用者が行事に伴う種々の風景および音響を選択することができるビデオ／オーディオシステムおよび方法」拒絶査定不服審判事件〔平成１２年　９月１４日国際公開、ＷＯ００／５４５５４、平成１４年１１月１９日国内公表、特表２００２−５３９７０１〕について、次のとおり審決する。
【結　論】
　本件審判の請求は、成り立たない。
【理　由】
１．手続きの経緯、本願発明
　本願は、平成１２年３月８日（パリ条約による優先権主張１９９９年３月８日、米国、１９９９年５月２８日、米国、１９９９年６月３日、米国、１９９９年８月３１日、米国）を国際出願日とする出願であって、その特許請求の範囲の請求項１ないし２９に係る各発明は、平成２１年１２月１８日付け手続補正書により補正された明細書および図面の記載からみて、請求項１ないし２９にそれぞれ記載されたとおりのものであると認められるところ、請求項８に係る発明（以下「本願発明」という。）は次のとおりのものである。
「行事を、該行事にライブで参加している間に見るための方法であって、
　行事の間に行事で携帯型レシーバおよび携帯型ディスプレイを使用し、
　複合ビデオ信号を形成するように複数のビデオ信号を組み合わせ、前記ビデオ信号の少なくとも２つが該行事の種々の表示を示し、
　該行事での前記携帯型レシーバに前記複合ビデオ信号を無線で送信し、
　前記携帯型レシーバで、該行事の１つの視野に関連した前記ビデオ信号の１つを選択し、
　前記携帯型ディスプレイを介して前記選択ステップで選択された、該行事の１つの視野に関連した前記ビデオ信号により示される画像を表示すること、
から構成される方法。」
　
２．引用例
（１）引用例記載事項
　これに対して、原査定の拒絶の理由で引用した特開平９−２９８７２９号公報（以下「引用例１」という。）には、次のとおりの記載がなされている。
　
　ア．「【産業上の利用分野】
　本発明は、ケーブルテレビにおける放映方式及びその端末表示装置に係わり、特には、競技場または展示館等の施設の各座席端末へケーブルを利用して画像情報（音声をも含む）を送出するのに好適な方法及び該ケーブルテレビにおける放映方式に好適な端末表示装置に関する。
　【従来の技術】
　表示（座席）端末を個々の観客席毎にそれぞれ具備させることが、特定の施設（例えば競技場、劇場または乗り物など）において、従来から考えられてきている。
　これらの施設の座席（全席でも一部の席でもどちらでよい）に表示端末を設置するというのは、次のような理由による。
　例えば、競技場において、携帯ラジオまたは携帯テレビを持ち込んで来ている観客も結構いる。競技場で競技を観戦するのは、臨場感を味わうということが大きいわけであるが、競技の細部、競技、競技者並びにそれらに付随する各種の情報及びリプレイを見たり聞いたりするには、ラジオ、テレビ等の既存のメディアの放送が便利だからである。
　従って、個々の座席毎に端末表示装置（以後、端末表示装置のことを単に表示装置とも称する）を設け、該競技の模様を撮影した映像またはその他各種の情報を各々の観客の要望に応じて見られるようにしておけば、観客は、わざわさ携帯テレビ等を持ち込まずとも、競技またはその他の情報を所望により得られることとなり、一層、興味深く競技を観戦できるというメリットが生じる。
　また、競技場側にとっても、集客効果が見込め、種々のイベントに該端末表示装置の利用を検討することができ、競技場の使用可能範囲が広がるというメリットがある。
　しかし、従来のケーブルテレビ放送を含むテレビ放送は、観客がどんな映像情報を欲しているかということにはお構いなく、放送局（スタジオ）が撮像した映像を一方的に編集して放映するものであり、個々の観客の情報（映像）ニーズとは必ずしも合致しないという欠点があった。
　一方、個々の観客の情報ニーズに最もよく応えるためには、競技場における放送システムに、近年その効能が喧伝されているビデオ・オン・デマンド（ＶＯＤ）方式を採用することが考えられる。しかし、ＶＯＤ方式は、その構築及び運用に莫大なコストが掛かるという欠点がある。」（段落【０００１】ないし【０００７】）
　
　イ．「【発明が解決しようとする課題】
　本発明は、従来の技術の有するこのような問題点に鑑みてなされたもので、その目的とするところは、観客（つまり視聴者）が所定の番組を視聴するに際して、その番組内で観客の欲する画像情報を送出することが可能なケーブルテレビにおける放映方式を提供することにある。
　また、ＶＯＤ方式のように、それを実現するための莫大なコストをかけずに視聴者の番組に対するニーズに応えられるケーブルテレビにおける放映方式を提供することにある。
　また、該ケーブルテレビにおける放映方式に好適な端末表示装置を提供することにある。
　【課題を解決するための手段】
　本発明に係わるケーブルテレビにおける放映方式及びその端末表示装置は、上記した目的を達成したもので、次のようなものである。　請求項１の発明は、センターから各々の端末装置へ複数のコンテンツを放映する方法に係わるものであり、次のような手順からなるコンテンツの送出方法である。
　イ　個々のコンテンツをそれぞれ別個のチャンネルで一斉に送出する。
　ロ　端末側の表示装置の表示画面の周辺部を所定の領域の小画面に分割して表示できるようにする。
　ハ　端末側では、送出されてきたチャンネル毎の該個々のコンテンツもしくは該個々のコンテンツを意味する標示（文字、アイコンなど）を表示装置の表示画面の周辺部の分割された所定数の小画面に、それぞれ割り付けて表示する。
　ニ　表示装置の表示画面の周辺部の所定数の小画面に表示されたチャンネル毎の個々のコンテンツもしくは該コンテンツを意味する文字を視て視聴者が希望するチャンネルを所定のスイッチを操作することにより選択する。
　以上、イ〜ニの手順による放映方法である。
　なお、コンテンツというのは、撮像手段からの撮像（映像）信号または何らかの記録媒体から出力される映像信号のことであり、動画でも静止画でもよく、音声信号を含んでいてもいなくてもよい。つまり、ケーブルを介して送出する内容一切のことである。」（段落【００１２】ないし【００１８】）
　
　ウ．「【実施例】
　図１は、本発明に係わるケーブルテレビにおける放映方式の一実施例を説明するための模式図である。
　図１は、サッカーの競技を中継する場合を示しているが、他の競技の中継、競技以外の中継（例えば劇場からの中継）または報道の中継（例えば選挙報道）などであっても、本発明に係わるケーブルテレビにおける放映方式が適用可能であることは言うまでもない。本実施例の項目の説明では、便宜上サッカー中継を例として記述していくこととする。
　撮像手段たるビデオカメラ（１ａ〜１ｍ）は、サッカー競技場に適宜配置される。なお、図１においては、ｍ台のビデオカメラのうち、４台を図示し、他のｍ−４台のカメラは、煩雑になるので、図示していない。
　メイン画面カメラ１ａが撮影したコンテンツは、メイン画面（例えばｃｈ１で配信する）として、視聴者からのチャンネルの選択が特になされない限り、端末表示装置の画面中央に表示され続けるようにしておくことが推奨される。また、実況は、このメイン画面に基づいて行えばよいが、何れにしても、これらのことは、当業者の設計上の選択事項である。
　グランド画面カメラ１ｂは、フィールド上方に据え付けられ、俯瞰ショットを撮影し、グランド画面（ｃｈ２）として送出する。
　ゴール前Ａ画面カメラ１ｃ及びゴール前Ｂ画面カメラ１ｄは、それぞれゴールシーンまたはシュートシーンを主に撮影する。
　図２は、本発明に係わるケーブルテレビにおける放映方式の一実施例を説明するためのブロック図である。コンテンツの配信元であるセンター、すなわちスタジオ１５の編集装置２には、競技場に設置されたビデオカメラ（１ａ〜１ｍ）が撮影している各コンテンツ及びケーブルテレビ局６から配信されるコンテンツが入力してくる。
　ケーブルテレビ局６が配信するコンテンツは、地上波受信施設８で受信するＶＨＦ／ＵＨＦテレビ放送番組、衛星波受信施設９で受信する衛星放送番組または何らかの記録媒体１０（ビデオテープなど）に記録されたプログラムである。なお、本発明を適用する対象によっては、スタジオ１５とケーブルテレビ局６は、同一施設であってもよいことはもちろんである。
　編集装置２は、ヘッドエンド３へのインタフェース部であり、ヘッドエンド３に含めても良い。ヘッドエンド３は、編集装置２から出力されてきた各々のコンテンツにチャンネルの割り付けを行い、ケーブル１２に各々のコンテンツを一斉に送出する。
　ケーブル１２は、同軸ケーブルでも光ファイバケーブルでもどちらでもよい。なお、ケーブル１２の途中には、分岐・分配器、増幅器及びタップオッフなどが必要となるが、煩雑になるので、図示していない。これらは、従来のケーブルテレビに係わる技術に従って、当業者が適宜、設計・設置すれば、充分である。
　競技場の所定の座席には、座席端末（４ａ〜４ｎ）が設置され、座席端末（４ａ〜４ｎ）には、それぞれ（端末）表示装置（５ａ〜５ｎ）が設置される。
　座席端末（４ａ〜５ｎ）とケータリングセンタ７との間はデジタル回線１３で接続してもよい。但し、ケータリングを行うかどうかは、当業者の設計上の選択事項である。
　（端末）表示装置（５ａ〜５ｎ）には、ＬＣＤ等の電子ディスプレイデバイスを使用する。」（段落【００２９】ないし【００３９】）
　
　エ．「図３は、本発明に係わるケーブルテレビにおける放映方式の一実施例を説明するためのブロック図である。
　本発明に係わるケーブルテレビにおける放映方式を実施するには、例えば図３のような構成の座席端末４ａを用いる。
　座席端末４ａの制御中枢たるＣＰＵ２０の周辺装置、すなわち、画面表示制御部１７、Ｉ／Ｏ１８、チャンネルセレクタ１６、通信コントローラ１９及び表示装置５ａの構成及び配線は、従来からケーブルテレビのセットトップボックスで使用されている技術を用いることができる。
　なお、リプレイ用メモリ装置１４を設けるかどうかは、当業者の設計上の選択事項である。
　表示装置５ａは、その表示画面の周辺部を所定数の小画面に分割して表示できるようにする。各小画面には、チャンネル毎のコンテンツの一部の映像もしくは該コンテンツを意味する文字（アイコン）を表示できるようにしておく。
　表示装置５ａの表示画面の周辺部の分割された各小画面にスイッチを設けて、視聴者が所定の小画面を選択すると、ＣＰＵ２０の制御のもと、チャンネルセレクタ１６は、選択されたチャンネルのコンテンツを表示装置５ａの表示画面中央に表示する。ケータリングは、通信コントローラ１９経由で、ケータリングセンタ７との間で行う。
　なお、ケータリングもケーブル１２の所定周波数帯を確保しておいて、ケーブル１２を介して行っても良いことはもちろんである。
　次に、ヘッドエンド３及びケーブル１２を介して座席端末（４ａ〜４ｎ）へ入力してきた各コンテンツの各々の表示装置（５ａ〜５ｎ）の各々の表示画面への表示のさせかたを説明する。
　前記各コンテンツは、メイン画面、グランド画面、ゴール前Ａ画面、もう一方のゴール前の画面であるゴール前Ｂ画面、ベンチＡ画面、ベンチＢ画面、選手紹介Ａ画面、もう一方のチームの選手紹介画面である選手紹介Ｂ画面を含んでいるものとする。
　これらのコンテンツを意味する文字を、図４のごとく、表示装置５ａの画面の周辺部の小画面に割り付けて表示させる。小画面のサイズと数、各コンテンツを意味する文字の割り振り方は、当業者が適宜、設計する。
　また、図４に示すごとく、リプレイ、他画面、全体表示、ケータリングなどの小画面を設けても良い。
　図４では、メイン画面が表示装置５ａの画面中央部に表示されているが、表示装置５ａの画面周辺部の各コンテンツを意味する文字を視て、該コンテンツを選択（スイッチング）することにより、該コンテンツを画面中央部に表示させることができる。
　つまり、視聴者が画面の選択権を持っており、番組提供者の撮影したコンテンツの範囲内において、コンテンツを選択（いわば編集）して自分の座席端末表示装置に表示させることができる。
　図４において、チャンネルの切り替えは、次のように行う。例えば、ゴール前Ａの画面を画面中央に表示させたいときは、ゴール前Ａという文字が表示された小画面を指で押す。各小画面には、それぞれキートップを設けておき、キートップが押されると該スイッチ接点が入力するようにしておく。
　このように各小画面毎に透明なキートップを有する押しボタンスイッチを設けておけば、タッチパネルやリモコンに因らずとも、押すという操作感に優れた動作により直観的に自分の所望するコンテンツを選択できる。
　図４において、ゴール前Ａの小画面を選択する（押す）と、図５のゴール前Ａの画面に切り替わる。さらに、図５において、全体表示の小画面を選択すると、図６のごとく、ゴール前Ａカメラ１ｃで撮影しているコンテンツが表示装置５ａの画面全体に表示される。
　図６の画面から他のチャンネルに切り替えたいときは、任意の小画面のキートップを押すことにより、直前の画面もしくは初期（メイン）の画面に戻るように設計しておけばよい。」（段落【００４０】ないし【００５２】）
　
　オ．「【発明の効果】
　本発明は、以上説明したように構成されているので、以下に記載されるような効果を奏する。
　視聴者は、一つの番組の中で、自分の好む映像を選択してチャンネルを切り替えて、視聴することができる。つまり、ＶＯＤ方式によらず、実質的にＶＯＤとほぼ同等の効果を得ることができる。
　従って、視聴者に必要なときに必要な番組を提供するという要求にＶＯＤ方式によって応えるよりも、はるかに安価に視聴者の情報ニーズに応えることができるケーブルテレビにおける放映方式を実施できる。
　また、（端末）表示装置の表示画面の周囲に他のチャンネルのコンテンツまたはコンテンツを意味する標示を表示するので、チャンネルの切り替えの選考の際に便利である。
　また、リモコンやタッチパネルではなく、操作感に優れる押しボタンスイッチをチャンネルの切り替えや画面の表示方式の切り替えに使用するので、ヒューマンインタフェースに優れたケーブルテレビにおける放映方式に好適な端末表示装置を提供することが可能である。」（段落【００６０】ないし【００６３】）。
　
（２）引用例１に記載された発明
　カ．サッカーの競技を中継するテレビ放映の方法
　　
　上記記載イ．ないしエ．によれば、引用例１には、サッカーの競技を中継するテレビ放映の方法に関して記載されている。
　
　キ．サッカー競技場に配置された複数のビデオカメラ　
　
　上記記載イ．及びウ．によれば、引用例１には、撮像手段たるビデオカメラ（１ａ〜１ｍ）は、サッカー競技場に適宜配置され、メイン画面カメラ１ａが撮影したコンテンツは、メイン画面（例えばｃｈ１で配信する）として、視聴者からのチャンネルの選択が特になされない限り、端末表示装置の画面中央に表示され続けるようにしておくこと、また、グランド画面カメラ１ｂは、フィールド上方に据え付けられ、俯瞰ショットを撮影し、グランド画面（ｃｈ２）として送出し、ゴール前Ａ画面カメラ１ｃ及びゴール前Ｂ画面カメラ１ｄは、それぞれゴールシーンまたはシュートシーンを主に撮影することが記載されている。
　
　ク．競技場に設置された複数のビデオカメラが撮影している各コンテンツのチャンネルの割り付け、送出
　
　上記記載イ．及びウ．によれば、引用例１には、コンテンツの配信元であるセンター、すなわちスタジオ１５の編集装置２には、競技場に設置されたビデオカメラ（１ａ〜１ｍ）が撮影している各コンテンツ及びケーブルテレビ局６から配信されるコンテンツが入力してくること、編集装置２は、ヘッドエンド３へのインタフェース部であり、ヘッドエンド３に含めても良い。ヘッドエンド３は、編集装置２から出力されてきた各々のコンテンツにチャンネルの割り付けを行い、ケーブル１２に各々のコンテンツを一斉に送出することが記載されている。
　
　ケ．座席端末及び表示装置
　
　上記記載イ．ないしエ．によれば、引用例１には、競技場の所定の座席には、座席端末（４ａ〜４ｎ）が設置され、座席端末（４ａ〜４ｎ）には、それぞれＬＣＤ等の電子ディスプレイデバイスを使用した（端末）表示装置（５ａ〜５ｎ）が設置され、ヘッドエンド３及びケーブル１２を介して座席端末（４ａ〜４ｎ）へ入力してきた各コンテンツは、メイン画面、グランド画面、ゴール前Ａ画面、もう一方のゴール前の画面であるゴール前Ｂ画面、ベンチＡ画面、ベンチＢ画面、選手紹介Ａ画面、もう一方のチームの選手紹介画面である選手紹介Ｂ画面を含んでおり、これらのコンテンツを意味する文字を、表示装置（５ａ〜５ｎ）の画面の周辺部の小画面に割り付けて表示させること、また、メイン画面が表示装置５ａの画面中央部に表示されているときに、観客（視聴者）が表示装置５ａの画面周辺部の各コンテンツを意味する文字を視て、該コンテンツを選択（スイッチング）すると、座席端末に設けられているＣＰＵ２０の制御のもと、チャンネルセレクタ１６は、選択されたチャンネルのコンテンツを画面中央部に表示する、つまり、観客（視聴者）が画面の選択権を持っており、番組提供者の撮影したコンテンツの範囲内において、コンテンツを選択（いわば編集）して自分の座席端末表示装置に表示させることができることが記載されている。
　
　コ．まとめ
　上記）カ．ないしケ．によれば、引用例１に記載された発明（以下「引用発明」という。）として、以下のとおりのものを認定することができる。
　
「サッカーの競技を中継するテレビ放映の方法であって、
　撮像手段たるビデオカメラ（１ａ〜１ｍ）は、サッカー競技場に適宜配置され、メイン画面カメラ１ａが撮影したコンテンツは、メイン画面（例えばｃｈ１で配信する）として、視聴者からのチャンネルの選択が特になされない限り、端末表示装置の画面中央に表示され続けるようにしておき、グランド画面カメラ１ｂは、フィールド上方に据え付けられ、俯瞰ショットを撮影し、グランド画面（ｃｈ２）として送出し、ゴール前Ａ画面カメラ１ｃ及びゴール前Ｂ画面カメラ１ｄは、それぞれゴールシーンまたはシュートシーンを主に撮影し、
　コンテンツの配信元であるセンター、すなわちスタジオ１５の編集装置２には、競技場に設置されたビデオカメラ（１ａ〜１ｍ）が撮影している各コンテンツ及びケーブルテレビ局６から配信されるコンテンツが入力され、ヘッドエンド３は、編集装置２から出力されてきた各々のコンテンツにチャンネルの割り付けを行い、ケーブル１２に各々のコンテンツを一斉に送出し、
　競技場の所定の座席には、座席端末（４ａ〜４ｎ）が設置され、座席端末（４ａ〜４ｎ）には、それぞれＬＣＤ等の電子ディスプレイデバイスを使用した（端末）表示装置（５ａ〜５ｎ）が設置され、ヘッドエンド３及びケーブル１２を介して座席端末（４ａ〜４ｎ）へ入力してきた各コンテンツは、メイン画面、グランド画面、ゴール前Ａ画面、もう一方のゴール前の画面であるゴール前Ｂ画面、ベンチＡ画面、ベンチＢ画面、選手紹介Ａ画面、もう一方のチームの選手紹介画面である選手紹介Ｂ画面を含んでおり、これらのコンテンツを意味する文字を、表示装置（５ａ〜５ｎ）の画面の周辺部の小画面に割り付けて表示させ、メイン画面が表示装置５ａの画面中央部に表示されているときに、観客（視聴者）は、表示装置５ａの画面周辺部の各コンテンツを意味する文字を視て、該コンテンツを選択（スイッチング）すると、座席端末に設けられているＣＰＵ２０の制御のもと、チャンネルセレクタ１６は、選択されたチャンネルのコンテンツを画面中央部に表示する、すなわち、観客（視聴者）が画面の選択権を持っており、番組提供者の撮影したコンテンツの範囲内において、コンテンツを選択（いわば編集）して自分の座席端末表示装置に表示させる方法。」
　
３．対比
　そこで、本願発明と引用発明とを対比すると次のことが認められる。
　
（ａ）行事を、該行事にライブで参加している間に見るための方法
　
　本願発明は、「行事を、該行事にライブで参加している間に見るための方法」に係る発明であり、本願発明でいう「行事」は、本願明細書の段落【０００７】及び【００１３】等の記載からすると、観覧者が見る催し物であって、オートレース、サッカー、バスケットボール等のスポーツ行事であることから、本願発明は、サッカーを、該サッカーにライブで参加している間に見るための方法を含むものといえるところ、引用発明は、サッカー（本願発明でいう「行事」）の観客が、サッカーの競技を観つつ（本願発明でいう「行事にライブで参加している間に」）、サッカー競技場に適宜配置された複数のカメラ１ａ〜１ｍからの映像を、競技場の所定の座席に設置された座席端末の表示装置で選択して表示して見る方法に係る発明といえることから、引用発明も本願発明と同様、「行事を、該行事にライブで参加している間に見るための方法」に係る発明であるといえる。
　
（ｂ）行事の間に行事で携帯型レシーバおよび携帯型ディスプレイを使用し　　
　引用発明は、上記のとおり、サッカーの観客が、サッカーの競技を観つつ、座席端末（４ａ〜４ｎ）の表示装置（５ａ〜５ｎ）で、サッカー競技場に適宜配置された複数のカメラ１ａ〜１ｍからのコンテンツのうちの１つを選択（スイッチング）すると、座席端末（４ａ〜４ｎ）に設けられているＣＰＵ２０の制御のもと、チャンネルセレクタ１６は、ケーブルを介して送出される複数のチャンネルのコンテンツのうち選択されたコンテンツを画面中央部に表示するものであり、ここで、上記座席端末に設けられたＣＰＵ２０、チャンネルセレクタ１６は、ケーブルを介して送出される複数のチャンネルのコンテンツのうち１つのチャンネルを選択し、当該選択されたチャンネルのコンテンツを受信し、映像として表示装置に出力することは明らかであることから、引用発明の座席端末および表示装置は、レシーバ（受信機）およびディスプレイであるといえ、そうすると、本願発明と引用発明は、いずれも、「行事（サッカー）の間に行事でレシーバおよびディスプレイを使用」するものであるといえる。
　もっとも、本願発明では、上記レシーバおよびディスプレイが、携帯型レシーバおよび携帯型ディスプレイであるのに対し、引用発明では、競技場の所定の座席に設置されたレシーバ（座席装置）およびディスプレイである点で相違する。
　
（ｃ）複合ビデオ信号を形成するように複数のビデオ信号を組み合わせ、前記ビデオ信号の少なくとも２つが該行事の種々の表示を示し、該行事での前記携帯型レシーバに前記複合ビデオ信号を無線で送信し
　
　引用発明では、撮像手段たるビデオカメラ（１ａ〜１ｍ）は、サッカー競技場に適宜配置され、メイン画面カメラ１ａが撮影したコンテンツ、グランド画面カメラ１ｂが撮影した俯瞰ショット、ゴール前Ａ画面カメラ１ｃ及びゴール前Ｂ画面カメラ１ｄが撮影したそれぞれゴールシーンまたはシュートシーンは、コンテンツの配信元であるセンター、すなわちスタジオ１５の編集装置２に入力され、ヘッドエンド３は、編集装置２から出力されてきた各々のコンテンツにチャンネルの割り付けを行い、ケーブル１２に各々のコンテンツを一斉に送出するのであるから、本願発明と引用発明とは、いずれも、「複合ビデオ信号を形成するように複数のビデオ信号（引用発明でいう「メイン画面カメラ１ａが撮影したコンテンツ、グランド画面カメラ１ｂが撮影した俯瞰ショット、ゴール前Ａ画面カメラ１ｃ及びゴール前Ｂ画面カメラ１ｄが撮影したそれぞれゴールシーンまたはシュートシーン」）を組み合わせ、前記ビデオ信号の少なくとも２つが該行事（引用発明でいう「サッカー」）の種々の表示を示し、該行事での前記レシーバに前記複合ビデオ信号を送信」するものであるといえる。
　もっとも、本願発明では、上記レシーバが携帯型レシーバであり、上記送信が、無線で送信するのに対し、引用発明では、競技場の所定の座席に設置されたレシーバ、ケーブルを介して送信する点で相違する。
　
（ｄ）前記携帯型レシーバで、該行事の１つの視野に関連した前記ビデオ信号の１つを選択し、前記携帯型ディスプレイを介して前記選択ステップで選択された、該行事の１つの視野に関連した前記ビデオ信号により示される画像を表示すること
　
　引用発明では、ヘッドエンド３及びケーブル１２を介して座席端末（４ａ〜４ｎ）へ入力してきた各コンテンツは、メイン画面、グランド画面、ゴール前Ａ画面、もう一方のゴール前の画面であるゴール前Ｂ画面、ベンチＡ画面、ベンチＢ画面、選手紹介Ａ画面、もう一方のチームの選手紹介画面である選手紹介Ｂ画面を含んでおり、これらのコンテンツを意味する文字を、表示装置（５ａ〜５ｎ）の画面の周辺部の小画面に割り付けて表示させ、メイン画面が表示装置５ａの画面中央部に表示されているときに、観客（視聴者）は、表示装置５ａの画面周辺部の各コンテンツを意味する文字を視て、該コンテンツを選択（スイッチング）することにより、該コンテンツを画面中央部に表示させる、すなわち、観客（視聴者）が画面の選択権を持っており、番組提供者の撮影したコンテンツの範囲内において、コンテンツを選択（いわば編集）して自分の座席端末表示装置に表示させており、前記メイン画面、グランド画面、ゴール前Ａ画面、もう一方のゴール前の画面であるゴール前Ｂ画面等は、サッカーの１つの視野に関連したビデオ信号といえることから、本願発明と引用発明とは，いずれも、「前記レシーバで、該行事（引用発明でいう「サッカー」）の１つの視野に関連した前記ビデオ信号の１つを選択し、前記ディスプレイを介して前記選択ステップで選択された、該行事の１つの視野に関連した前記ビデオ信号により示される画像を表示すること」を含むものといえる。
　もっとも、本願発明では、上記レシーバ、ディスプレイが、携帯型レシーバ、携帯型ディスプレイであるのに対し、引用発明では、競技場の所定の座席に設置されたレシーバおよびディスプレイである点で相違する。
　
　以上の対比結果によれば、本願発明と引用発明との一致点、相違点は次のとおりであると認めることができる。
［一致点］
　両者は、いずれも
「行事を、該行事にライブで参加している間に見るための方法であって、
　行事の間に行事でレシーバおよびディスプレイを使用し、
　複合ビデオ信号を形成するように複数のビデオ信号を組み合わせ、前記ビデオ信号の少なくとも２つが該行事の種々の表示を示し、
　該行事での前記レシーバに前記複合ビデオ信号を送信し、
　前記レシーバで、該行事の１つの視野に関連した前記ビデオ信号の１つを選択し、
　前記ディスプレイを介して前記選択ステップで選択された、該行事の１つの視野に関連した前記ビデオ信号により示される画像を表示すること、
から構成される方法。」である点で一致する。
　
［相違点］
　上記「レシーバ」および「ディスプレイ」が、本願発明では、携帯型レシーバおよび携帯型ディスプレイであるのに対し、引用発明では、競技場の所定の座席に設置されたレシーバおよびディスプレイであり、また、上記「送信し」が、本願発明では、無線で送信するのに対し、引用発明では、ケーブルを介して送信する点。
　
４．判断
　そこで上記相違点について検討する。
　引用発明では、上記のとおり、サッカー競技場に適宜配置された各カメラ１ａ〜１ｄが撮影したそれぞれのシーンの映像は、ヘッドエンド３からケーブル１２を介して競技場の所定の座席に設置された座席端末に送信され、各座席端末の表示装置では送信された映像を選択して表示しているところ、
サッカー競技の観戦において、指定された座席を持たず、自由に座席を移動しつつ観戦したり、立ち上がったままで観戦したり、また、立ち見席で立って観戦したり、様々なスタイルで観戦することが行われていること、
本願の優先権主張日前において、映像信号（テレビ信号）を受信して表示する携帯型テレビ等の携帯型レシーバ及びディスプレイは周知であり、また、引用例１には、サッカー等競技場において、競技の細部、競技、競技者並びにそれらに付随する各種の情報及びリプレイを見たり聞いたりするため、携帯ラジオまたは携帯テレビを持ち込んで来ている観客も結構いることが開示されていること（引用例１の上記記載ア．参照）、
さらに、サッカー競技場等の施設内において、情報を施設内にある複数のレシーバに向けて送信する際、無線で送信する構成とすれば、引用発明のように各レシーバに向けてケーブルを敷設する必要がなく、設備設置のための負担が少なくてすむことの各点を考慮すると、
引用発明において、所定の座席以外の競技場の任意の場所で各カメラ１ａ〜１ｄからの映像を受信して見ることができるように、携帯型テレビ等の携帯型レシーバ及び携帯型ディスプレイを使用し、メイン画面カメラ１ａ、グランド画面カメラ１ｂ、ゴール前Ａ画面カメラ１ｃ及びゴール前Ｂ画面カメラ１ｄが撮影したそれぞれのシーンを組み合わせた信号を前記携帯型レシーバに無線で送信する方法を採用することは、当業者が容易に想到し得たことであると認められ、上記相違点において本願発明が格別のものであるとすることはできない。
　また、本願発明の効果についてみても、上記構成の採用に伴って当業者が当然に予測し得る程度のものにすぎず、格別顕著なものがあるとはいえない。
　
５．むすび
　以上のとおり、請求項８に係る本願発明は、引用例１に記載された発明及び周知の事項に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。